(57)【要約】【課題】外壁パネルの縦端縁が反りとか浮きとか段差とかのない外観や防水面で良好なユニット建物の外壁パネルの取り付け構造を提供すること。【解決手段】 外壁パネル１１，２１の裏面の縦端縁部に、縦端縁１１ａ、２１ａに沿ってフレーム枠体１２，２２を固着し、フレーム枠体１２，２２の裏面とユニット柱３０，４０の表面とを対面させて縦端縁１１ａ、２１ａをユニット柱３０，４０の外側側面とほぼ面一に沿わして組み付けるユニット建物の外壁パネル取り付け構造であって、フレーム枠体１２，２２の外側側面とユニット柱３０，４０の外側側面とを少なくとも上下２カ所において連結部材５，１６，１７で連結したことを特徴とするユニット建物の外壁パネル取り付け構造としている。【選択図】図２
2007277969.tif 000002
【特許請求の範囲】
【請求項１】
外壁パネルの裏面における縦端縁部に、前記縦端縁に沿ってフレーム枠体を固着し、該フレーム枠体の裏面とユニット柱の表面とを対面させて前記縦端縁を前記ユニット柱の外側側面とほぼ面一に沿わして組み付けるユニット建物の外壁パネル取り付け構造であって、
前記フレーム枠体の外側側面と前記ユニット柱の外側側面とを少なくとも上下２カ所において連結部材で連結したことを特徴とするユニット建物の外壁パネル取り付け構造。
【請求項２】
請求項１において、
前記フレーム枠体の外側側面が前記縦端縁よりほぼ前記連結部材の厚み分だけ内側に位置しているとともに、前記連結部材には、前記フレーム枠体の外側側面と前記ユニット柱の外側側面との段差分だけ段差が付けられていることを特徴とするユニット建物の外壁パネル取り付け構造。
【請求項３】
請求項１又は２において、
前記連結部材は、前記フレーム枠体の外側側面と接する位置と前記ユニット柱の外側側面と接する位置とのいずれか一方に前記対面方向の長穴が形成されていることを特徴とするユニット建物の外壁パネル取り付け構造。
【請求項４】
請求項１〜３のいずれか１項において、
前記連結部材は、前記フレーム枠体の外側側面に沿う方向と前記対面方向との範囲で回動可能に取り付けられていることを特徴とするユニット建物の外壁パネル取り付け構造。
【請求項５】
外壁パネルに固着されたフレーム枠体とユニット柱とを防水シートを挟んで対面させ、前記外壁パネルと前記ユニット柱とを所定距離にする治具で前記対面方向に挟んで前記外壁パネルの位置出しをし、前記外壁パネルの前記フレーム枠体と前記ユニット柱とを連結部材で連結することを特徴とするユニット建物の外壁パネル取り付け方法。
【発明の詳細な説明】
【技術分野】
【０００１】
この発明は、ユニット建物の外壁パネル取り付け構造及びその取り付け方法に関するものである。
【背景技術】
【０００２】
従来、この種のユニット建物の外壁パネル取り付け構造は、ユニット建物を構成する個々の建物ユニットのユニット柱間を塞ぐように、ユニット建物に外壁パネルを取り付けている。具体的には、ユニット柱が中空の大きな矩形断面を有しているため、外壁パネルに固着された中空の矩形断面のフレーム枠体と前述のユニット柱とを直接にねじやリベットで固定することが難しく、ユニット柱の近傍で建物ユニットの一側縁中央側に鋼製の閉断面でないＬ字型スタッドを平行に立てこれにフレーム枠体を当設させてこの間をリベット等で固着して、外壁パネルを建物ユニットに取り付けていた。
【特許文献１】特開平８−６０７６７号公報
【発明の開示】
【発明が解決しようとする課題】
【０００３】
しかしながら、Ｌ字型スタッドがユニット柱に平行してユニット柱の近傍建物ユニットの一側縁中央側に配設されており、ユニット柱の外側側面とほぼ揃えられた外壁パネルの縦端縁がＬ字型スタッドから水平方向に離れた片持ち梁状の自由端となっているため、外壁パネルの縦端縁が反ったり、浮いたりして外観や防水面で問題となるおそれがある。また、隣接する建物ユニットの外壁パネル間に段差が生じたりして同様に外観や防水面で問題となるおそれがある。
【０００４】
そこで外壁パネルの縦端縁が反りとか浮きとか段差とかのない外観や防水面で良好なユニット建物の外壁パネルの取り付け構造を提供することを目的としている。
【課題を解決するための手段】
【０００５】
この目的を達成するため、この発明は、外壁パネルの裏面の縦端縁部に、前記縦端縁に沿ってフレーム枠体を固着し、該フレーム枠体の裏面とユニット柱の表面とを対面させて前記縦端縁を前記ユニット柱の外側側面とほぼ面一に沿わして組み付けるユニット建物の外壁パネル取り付け構造であって、前記フレーム枠体の外側側面と前記ユニット柱の外側側面とを少なくとも上下２カ所において連結部材で連結したことを特徴とするユニット建物の外壁パネル取り付け構造としている。
【発明の効果】
【０００６】
この発明の構成によれば、ユニット柱に対して従来自由端となっていた外壁パネルの縦端縁部がフレーム枠体によって固定されるから、外壁パネルの縦端縁が反りとか浮きとか段差とかのない外観や防水面で良好なユニット建物の外壁パネルの取り付け構造を得ることが出来る。さらに、従来のＬ字型スタッドも内壁パネルの取り付けを考慮するならば、必要がなくなるので、工数の面でも価格の面でも優れたユニット建物の外壁パネル取り付け構造とすることが出来る。
【発明を実施するための最良の形態】
【０００７】
以下、この発明の実施の形態を図面に基づいて説明する。
【実施例１】
【０００８】
図１〜図４は、この発明のユニット建物の外壁パネル取り付け構造の一実施例を示すもので、図１はユニット柱３０に外壁パネル構体１０を取り付けた建物ユニットＸを示す斜視図である。
【０００９】
ユニット建物は、一般に工場生産された複数個の建物ユニットＸ，Ｙを現場に運び、そこで左右上下に接合、組み立てて平屋建て、２階建てに構築されている。
【００１０】
この建物ユニットＸ、Ｙは、４隅部の鋼製角パイプからなるユニット柱３０，４０の上下端に図示しない溝型の鋼製の床梁，天井梁が溶接により取り付けられ、ラーメン構造に結合された箱形の枠構造体に形成されている。
【００１１】
このユニット建物は、これら建物ユニットＸ、Ｙのユニット柱３０，４０同士がボルト、ナット等で組み付けられ、場所によって、ユニット柱３０，４０が１本の位置、２本の位置、４本の位置ができる。
【００１２】
外壁パネル構体１０，２０は、外壁側となるユニット柱３０，４０間を一枚であるいは複数枚で塞ぐ大きさの矩形を呈する外壁パネル１１，２１と、 その裏面の縦端縁部、すなわち、縦端縁１１ａ、２１ａから幾分内側に入った位置に、その縦端縁１１ａ、２１ａに沿って固着されるフレーム枠体１２，２２と、このフレーム枠体１２，２２を少なくとも上下位置で連結する横フレーム枠体１４とから概略構成されている。
【００１３】
この外壁パネル構体１０，２０には、必要に応じて、両側のフレーム枠体１２，２２間で縦端縁１１ａ、２１ａとほぼ面一に沿わしたユニット柱３０，４０の近傍であって中央よりに補助フレーム枠体１３，２３が上下の横フレーム枠体１４に連結して設けられている。
【００１４】
さらに、フレーム枠体１２，２２の外側側面には、図３に種々の形状で示されている連結部材１５，１６，１７の内同一のものが選択され、ユニット柱３０，４０と連結させるため少なくとも上下２カ所に設けられている。これらの内、連結部材１５は、例えば鋼板からなる条片状のもので、一端からフレーム枠体１２，２２の側面幅よりわずかに大きい寸法位置に長手方向に直交してこの板厚程の段差１５ａが設けられている。この結果、連結部材１５の厚みは、段差１５ａ分と板厚との和になる。したがって、フレーム枠体１２，２２の外側側面が縦端縁１１ａ、２１ａよりほぼ連結部材１５の厚み分だけ内側に位置することになる。この連結部材１５の両端部近傍にはそれぞれフレーム枠体１２，２２及びユニット柱３０、４０に固定するタッピングねじを貫通させる丸穴１５ｂが形成されている。
【００１５】
また、連結部材１６は、連結部材１５とほぼ同一であるが、いずれか一方が丸穴１６ｂで他方が長穴１６ｃとなっていて、建物ユニットＸ、Ｙとして組み付けられた後でも外壁パネル１１とユニット柱３０，４０との距離の微調整ができるようになっている。すなわち、連結部材１６は、フレーム枠体１２，２２の外側側面と接する位置とユニット柱３０，４０の外側側面と接する位置とのいずれか一方に対面方向の長穴１６ｃが形成されている。
【００１６】
また、連結部材１７は、連結部材１５とほぼ同一であるが、フレーム枠体１２、２２の外側側面１１ａ、２１ａに当接する側の端縁が隅取りされて、図１の下端に２点鎖線で示す（ここではフレーム枠体１２に対してのみ示されている）ように、フレーム枠体１２，２２の外側側面に沿うような位置まで回動可能になっている。隅取りの一例は、図３に示すようにＲ取りした半円形でもいいが、回動の際に外壁パネル１１，２１の裏面に干渉しないならばどのような切り取り形状であってもよい。したがって、連結部材１７は、フレーム枠体１２、２２の外側側面に沿う方向と、フレーム枠体１２，２２及びユニット柱３０，４０の対面方向との範囲で回動可能であり、必要に応じて格納することができる。外壁パネル構体１０，２０をユニット柱３０，４０に取り付けて建物ユニットＸ、Ｙにする前には、連結部材１７をフレーム枠体１２に沿うように格納しておくと、突出が少なくなり、搬送、積層時等に場所を取らず、他のものとの接触もなく、不良品の発生も少ない。
【００１７】
次に、このような外壁パネル構体１０，２０をユニット柱３０、４０に取り付けて建物ユニットＸ，Ｙにし、さらにこれら建物ユニットＸ，Ｙを組み付けてユニット建物を構築する方法を説明する。
【００１８】
図１，図２に示すような建物ユニットＸを構築するため、外壁パネル構体１０をユニット柱３０間を塞ぐように対応させる。そしてフレーム枠体１２の裏面とユニット柱３０の表面とを対面させ、間にユニット柱３０の丈と同じだけの防水シート５０を挟み、縦端縁１１ａをユニット柱３０の外側側面とほぼ面一に沿わして組み付ける。
【００１９】
この際、図４に示す外壁位置出し工具８０を用いて組み付ける。ユニット柱３０と外壁パネル１１との外寸法を出す工具であればどのようなものであってもよいが、ここでは図４に示すようにＬ字部材８１の長辺の内寸法がユニット柱３０と外壁パネル１１との外寸法の所定寸法にされている。そして、この外壁位置出し工具８０は、Ｌ字部材８１に略Ｌ字型をしたハンドル８２が回動自在に組み付けられ、このハンドル８２を締め付け操作した際に所定寸法が得られるようになっている。
【００２０】
したがって、この外壁位置出し工具８０で防水シート５０をしっかり挟み込み、所定寸法にし、あらかじめフレーム枠体１２にタッピングねじ９１によって一方の穴１５ｂ、１６ｂ、１７ｂ位置で取り付けられている連結部材１５，１６，１７の他の穴１５ｂ、１６ｃ、１７ｂ位置をユニット柱３０の外側側面に対応させる。この状態で、他の穴１５ｂ、１６ｃ、１７ｂにタッピングねじ９１でねじ切りすると同時にねじ込み連結部材１５，１６，１７をユニット柱３０に固定する。このようにしてユニット柱３０に外壁パネル構体１０を組み付け、建物ユニットＸを構築する。
【００２１】
なお、Ｌ字型スタッド３１がユニット柱３０間の内側近傍でユニット柱３０に平行して配設されており、このＬ字型スタッド３１に対面して外壁パネル１１に補助フレーム枠体１３が固定されている。防水シート５０がこのＬ字型スタッド３１の面にまで延びており、補助フレーム枠体１３との間で挟み固定され、防水を確実にしており、補助フレーム枠体１３の内側には内壁パネル６０を取り付け、その位置を出すための木枠３２が設けられている。  
【００２２】
同様に、図２に示すように、外壁パネル２１にフレーム枠体２２，補助フレーム枠体２３、木枠４２が固定された外壁パネル構体２０をユニット柱４０及びＬ字型スタッド４１に、防水シート５０を挟んで外壁位置出し工具８０で外壁パネル２１の位置出しをし、連結部材１５，１６，１７で取り付け、建物ユニットＹを構築している。
【００２３】
そして、このようにして構築された建物ユニットＸ、Ｙを例えば図２で示すように組み付ける。建物ユニットＸ、Ｙを、そのユニット柱３０，４０間に、例えばゴムひも状のシール材９２を押圧変形させるようにして図外のボルトナットなどの固定具で連結固定する。外壁パネル構体１０、２０の裏側でユニット柱３０，４０間に断熱材７０を配し、さらに、これらユニット柱３０，４０の背面に断熱材７０を配して内壁パネル６０を取り付けてユニット建物を構築する。
【００２４】
なお、外壁パネル構体１０、２０間にできる隙間には、例えば合成樹脂製の抜け止め断面を有したひも状の化粧シール部材９３を差し込んで防水と外観を確保している。
【００２５】
また、建物ユニットＸ、Ｙは、それぞれ端縁部で外壁パネル１１，２１の位置出し固定ができ、浮きなどがなくできているので、外壁パネル１１，２１間に浮きや波打ち、高低差がなく、ユニット建物は防水性と外観品質を確保している。
【産業上の利用可能性】
【００２６】
ユニット建物への利用だけでなく一般住宅の外壁パネルの固定にも応用できる。
【図面の簡単な説明】
【００２７】
【図１】本発明のユニット建物における外壁パネルの取り付け構造に用いられる外壁パネル構体の一部を破断した斜視図である。
【図２】隣接する建物ユニットのユニット柱２本が束ねられる箇所を示す建物ユニットの水平断面図である。
【図３】図１，２に用いた連結部材の３種を示す斜視図である。
【図４】ユニット柱に外壁パネル構体組み付ける際に外壁パネル位置の位置出しを行っていることを説明する部分断面図である。
【符号の説明】
【００２８】
Ｘ、Ｙ・・・建物ユニット
１０，２０・・・外壁パネル構体
１１，２１・・・外壁パネル
１２，２２・・・フレーム枠体
１５，１６，１７・・・連結部材
３０，４０・・・ユニット柱
８０・・・外壁パネル位置出し工具
【図１】
2007277969.tif 000003
【図２】
2007277969.tif 000004
【図３】
2007277969.tif 000005
【図４】
2007277969.tif 000006